(57)【要約】      （修正有）【課題】主としてすいかなどの球状物を丸ごと冷やすのに好適で、安定性と運搬移動性を有し、かつファッション性に優れた、小型冷蔵庫を提供する。【解決手段】収納容器部１２と収納容器部前面を覆う扉部１１とによって形成される収納空間１３が球形をした冷蔵庫本体１と、冷蔵庫本体の外周面の一部を支持する台座部２１を有する支持台２とを備える。冷蔵庫本体１の扉部１１は、支持台２の台座部２１に支持された収納容器外周面に沿って開閉動作する。支持台２は、内部に冷蔵庫本体の冷却駆動機構部３もしくは温冷駆動機構部が組み込まれる一方、底部に移動用のキャスタ８が取付けられている。【選択図】図４
2006292232.tif 000002
【特許請求の範囲】
【請求項１】
収納容器部と収納容器部の開放面を覆う扉部とによって形成される収納空間が球形をした冷蔵庫本体と、温冷蔵庫本体の外周面の一部を支持する台座部を有する支持台とを備え、
冷蔵庫本体の扉部は、支持台の台座部に支持された収納容器外周面に沿って開閉動作し、
支持台は、内部に冷蔵庫本体の冷却駆動機構部もしくは温冷駆動機構部が組み込まれる一方、底部に移動用のキャスタが取付けられている、
ことを特徴とする、運搬移動式冷蔵庫
【請求項２】
請求項１記載の冷蔵庫において、
前記支持台は、運搬用の操作ハンドルを有する、
ことを特徴とする、冷蔵庫。
【請求項３】
前記収納空間が、すいかやメロンなどの球形物１個を丸ごと収納可能な容積に設定されている、
請求項１もしくは２記載の冷蔵庫。
【請求項４】
台座部によって支持された冷蔵庫本体の収納容器部外周面と当該台座部内周面との間に、隙間部が形成され、扉部が収納容器外周面に沿ってこの隙間部内を進退動することにより開閉動作する、
請求項１もしくは２記載の冷蔵庫。
【請求項５】
前記扉部が、収納容器部に対し、ヒンジ部を介して開閉自在に取付けられている、
請求項１もしくは２記載の冷蔵庫。
【請求項６】
前記冷蔵庫本体の外形形状が球状をしている、
請求項１もしくは２記載の冷蔵庫。
【請求項７】
前記支持台の台座部が、冷蔵庫本体の下部を支持する半球状をしている、
請求項１もしくは２記載の冷蔵庫。
【請求項８】
前記操作用ハンドルが伸縮自在に形成されている、
請求項１もしくは２記載の冷蔵庫。
【請求項９】
台座部に温冷駆動機構部が組み込まれることにより、温冷庫として機能する、
請求項１もしくは２記載の冷蔵庫。
【請求項１０】
前記冷蔵庫本体に、内部の被収容物が適切な温度に冷やされたことを表示する適温表示部が設けられている、
請求項１もしくは２記載の冷蔵庫。
【発明の詳細な説明】
【技術分野】
【０００１】
本発明は、すいかやメロンなどの球形をした食物類を丸ごと冷やすのに最適で、しかも運搬移動可能な小型の冷蔵庫に関するものである。
【背景技術】
【０００２】
冷蔵庫は、一般に、庫内の収納空間が直方体形状をしている。大型のものはともかくとして、比較的デザインに自由度のあるパーソナルユースの小型冷蔵庫にあっても、収納空間の形状だけは大型のものと変わらない。
こうした中にあって、収納空間を球形にしてファッション性を強調した冷蔵庫が提案されている（特許文献１参照）。
この冷蔵庫は、内部に仕切り板を有する半球状の容器に、ヒンジを介して透明な半球状の蓋を開閉自在に取付けることにより冷蔵庫本体を構成し、この冷蔵庫本体を支柱スタンドによって支持するようにしたものである。
【０００３】
【特許文献１】特開２００１−１９４０５３号公報
【発明の開示】
【発明が解決しようとする課題】
【０００４】
ところが、先行技術の上記発明は、冷蔵庫本体を支柱スタンドによって支持している関係上、頭部が重くなり、バランス性に欠ける。しかも、蓋がヒンジによって前後に開閉されることから、蓋を開閉する度に頭部の重量バランスが変わり、一層不安定になる。
また、重量のある冷蔵庫本体が頭部に位置する関係上、支柱スタンド自体もある程度、重く強固なものにしなければならず、この結果、全体重量が嵩み、通常のスタンドのように簡単に移動させることができず、小型冷蔵庫としての運搬移動性に欠ける。
【０００５】
本発明の目的は、先行技術が抱える上記課題に鑑み、安定性と運搬移動性を有し、かつファッション性に優れた、小型冷蔵庫を提供することにある。
【課題を解決するための手段】
【０００６】
本発明は、上記した課題を達成するために次の構成を備える点に特徴がある。
すなわち、この発明は、収納容器部と収納容器部の開放面を覆う扉部とによって形成される収納空間が球形をした冷蔵庫本体と、冷蔵庫本体の外周面の一部を支持する台座部を有する支持台とを備える。支持台には、内部に冷蔵庫本体の冷却駆動機構部もしくは温冷駆動機構部が組み込まれる一方、底部に移動用のキャスタが取付けられている。
【０００７】
本冷蔵庫には、支持台に運搬用の操作ハンドルを設けるようにすると良い。
操作ハンドルは、長さが固定されたものあるいは伸縮式に長さ調節自在のものにすることもできる。また、操作ハンドルは、単一杆タイプのものであるとT字形などその形状のいかんを問わない。
【０００８】
収納空間は、運搬移動性を考慮して、すいかやメロンなどの球形物１個を丸ごと収納可能な程度の容積に設定されるのが望ましい。
収納空間にあわせて冷蔵庫本体の外形形状は、球状にすると良い。
【０００９】
収納容器部と扉部とは、台座部によって支持された冷蔵庫本体の収納容器部外周面と当該台座部内周面との間に隙間部を形成し、扉部が収納容器外周面に沿ってこの隙間部内を進退動することにより開閉動作される構造にすることができる。
また、扉部を収容容器部に対してヒンジによって開閉させるようにしても良い。
【００１０】
冷蔵庫本体には、内部の被収容物が適切な温度に冷やされもしくは暖められたことを表示する適温表示部を設けるようにすると良い。
適温表示部は、被収容物の冷えごろなどをＬＥＤなどの表示ランプの点灯や点滅あるいは音声によって表示する。
【００１１】
本発明に係る冷蔵庫は、支持台内に冷却駆動機構部もしくは温冷駆動機構部を組み込むことにより、本来の冷蔵庫として機能するものだけでなく温冷庫として機能するものをも含む。
【発明の効果】
【００１２】
請求項１に係る発明によれば、収納空間が球形をなす冷蔵庫本体が台座部を有する支持台によって支持され、支持台の底部にはキャスタが取付けられているので、安定性と運搬移動性を備えたパーソナルユースの小型冷蔵庫を提供できる。
また、台座部に安定支持された冷蔵庫本体の外形形状を、球形をなす収納空間にあわせて球形にすることができ、ファッション性に優れた小型冷蔵庫を提供できる。
特に、冷蔵庫本体の収納空間が球形をしている関係上、すいかやメロンなどの球状物をカットすることなく丸ごと収納でき、しかも収納された球状物の外周に沿って収納空間内壁が所要の間隙をおいて球状物を取囲むので、冷気が上記間隙内に周り込んで球状物を短時間のうちに効率良く冷却することができる。
【００１３】
請求項２に係る発明によれば、支持台に操作ハンドルを設けてあるので、この操作ハンドルを手で把持し、牽引することによって冷蔵庫の移動を、あまり力をかけることなくスムーズに行うことができる。
また、操作ハンドルを伸縮式にすることにより、冷蔵庫の設置状態では操作ハンドルを縮め、移動時に伸ばして使用することができ、設置状態における無用な突出物を極力少なくすることができる。
【００１４】
冷蔵庫本体の扉部を収納容器部外周面に沿って開閉自在の構造にすることにより、扉部の開閉時にバランスが悪くなることもなく、しかもできる限り小スペースの箇所に設置できる。
【００１５】
請求項９によれば、支持台に温冷駆動機構部が設けられているので、冷蔵庫としてだけでなく温蔵庫としても使用できる。
請求項１０によれば、適温表示部によって、被収容物の食べ頃あるいは飲み頃を外部から確認できる。
【発明を実施するための最良の形態】
【００１６】
以下、本発明を図示した実施例に基づいて詳説する。
図１は、本発明の一実施例に係る冷蔵庫の扉部を閉めた状態の側面図、図２は、その背面図、図３は、図１の冷蔵庫の扉部を開けた状態の側面図、図４は同冷蔵庫の概略縦断面図である。
図中符合１は冷蔵庫本体、２はこの冷蔵庫本体を支持する支持台である。
【００１７】
冷蔵庫本体１は、外形が略球形をなし、下部の半球状をした収納容器部１２と上部の半球状をした扉部１１とから成っている。収納容器部１２の内面と扉部１１の内面とによって形成される収納空間１３は、同様に略球形に形成されている（図４参照）。収納空間１３は、一般的な大きさのすいかやメロンなどの球形物１個を、ある程度余裕を持って丸ごと収納可能な容積に設定されている。
収納容器部１２の後部には、後述する支持台２の後背部２２内に設けられた冷却駆動機構３と連通する冷気の吹き出し口１２ａが形成され、前部には収容容器部内の空気を排気する排気口１２ｂが形成されている（図４参照）。
【００１８】
扉部１１の開放端面と収納容器部１２の開放端面には、互いに密着して気密性を保持する図示しないシール材が取付けられている。
扉部１１の端縁後部と収納容器部１２の端縁後部とは、ヒンジ部１４を介することにより扉部１１が開閉自在になるように取付けられている。
【００１９】
支持台２は、ケーシング全体が縦断面略Ｌ字状に形成されており、水平に張出した台座部２１に冷蔵庫本体１の収納容器部１２の一部（前方部から底部）が固定され、起立する後背部２２の前面に収納容器部１２の他部（後方部）が固定されている。支持台２の後背部内には、冷却駆動機構３と制御回路４が内蔵されている。
図４を参照して、冷却駆動機構３は、外気を吸引する吸引ファン３１と、その手前に設けられたヒートシンク３２と、電子冷却器（thermoelectric coolers）３３とを備え、吸引した外気を冷気に変えて上記した吹き出し口１２ａより冷蔵庫本体１の収納空間内に吹き込む。
制御回路４は、収納空間内の被収納物Ａが所定の時間で適度な温度に冷やされるよう、冷却駆動機構３を制御する。例えば、季節に応じて変化する外気温に対し、被収納物Ａが常時２時間程度で食べ頃に冷やされるよう、電子冷却器３３をON・OFFし、あるいは吸気ファン３１の回転数を制御して収納空間内に送り込まれる冷気の量を調整して、収納空間内の温度を制御する。
支持台２の台座部内には、収納容器部１２の上記した排気口１２ｂと連通する排気路２３が形成されている。排気路２３の外端には、排気路中の空気を外部に排出するための排気ファン５が取り付けられ、制御回路４によって、収納空間内の温度が適温になるように排気の時間及び／もしくは量を制御される。
【００２０】
支持台２の後背部上面には、LEDから成る適温表示部６が設けられ、被収納物Ａを収納して所定時間が経過した後に制御回路４から送られる信号によって被収納物Ａが適温に冷えたことを点灯表示する。
適温表示部６の後方に位置する支持台２の後背部上面には、牽引用の操作杆７が立設されている。操作杆７は、２段階に引出し及び収納可能な左右一対の２本の縦杆７１と、縦杆７１の上端を連結する横杆７２とから成る（図２参照）。操作杆７の第１段目は、支持台本体部内に全体的もしくは部分的に収納される構造になっている。
支持台２の後部両側には、一対のキャスタ８が回動自在に取付けられている。
【００２１】
使用状態を説明する。
冷蔵用として用いる場合、図示しないスイッチを冷蔵用に切替え、扉部１１を上方に開けて収納容器部１２にすいかＳを載置する。
扉部１１を閉め、収納空間内にすいかＡを収納する。冷却駆動機構３が作動して収納容器部１２の後部に設けた流入口１２ａから冷気が収納空間１３内に入り込む。冷気は、収納空間内面とすいか表面との間に生じたほぼ同じ幅の狭い隙間空間に流れ込んですいか表面に沿って循環する。この結果、すいかＳは表面から熱量が均等に奪われ、局所的あるいは偏冷えすることなく全体が迅速に冷やされる（図３参照）。
所定の時間が経過し、適温表示部６が点灯したら、扉部１１を開けてすいかＳを取り出す。
【００２２】
すいかＳを収納した状態であるいは空の状態で本冷蔵庫を移動させる場合、操作杆７の上端にある横杆７２を引張って操作杆７を伸ばし、横杆７２を手にもって後方に牽引すると、台座部２１の前端と冷蔵庫本体部１が持ち上がり、キャスタ８のみが接地することになるので、キャスタ８の回転により楽に移動させることができる。
所望の位置に設置した状態では、台座部２１の底面が設置しているので、簡単に動いたりすることはない。
【００２３】
収納空間内には、すいかＳなどの球状物だけでなく、他の冷却あるいは加温すべき対象物を収納させても良い。トレイや、前記した先行技術の例にあるような仕切り板を収納容器部内に配置すれば、雑多な被収納物を整然と収納できるばかりでなく、移動時における被収納物のランダムな衝突を防止できる。
【００２４】
操作ハンドル７は、支持台２の後背部上面から上方に突出した１本の棒状材によって構成することもできる。
冷蔵庫本体の扉部と収納容器部とは、前記した実施例のようにヒンジを用いるのではなく、例えば、台座部によって支持された冷蔵庫本体の収納容器部外周面と当該台座部内周面との間に隙間部を形成し、扉部が収納容器外周面に沿ってこの隙間部内を進退動することにより開閉動作される構造を採用しても良い。
【図面の簡単な説明】
【００２５】
【図１】本発明の一実施例に係る冷蔵庫の扉を閉めた状態の側面図。
【図２】図１の冷蔵庫の背面図。
【図３】図１の冷蔵庫の扉部を開けた状態を示す側面図。
【図４】図１の冷蔵庫の概略縦断面図。
【符号の説明】
【００２６】
１          冷蔵庫本体
１１        扉部
１２        収納容器部
１３        収納空間
１２ａ      冷気の吹き出し口
１２ｂ      循環空気の排出口
２          支持台        
２１        台座部
２２        後背部
３          冷却駆動機構
３１        ファン
３２        ヒートシンク
３３        電子冷却器
４          制御回路
５          排気用ファン
６          適温表示部
７          操作杆
８          キャスタ              
【図１】
2006292232.tif 000003
【図２】
2006292232.tif 000004
【図３】
2006292232.tif 000005
【図４】
2006292232.tif 000006